(57)【要約】【課題】大きなスペースを占めることなく、画像を表示させる際には、表示される画像を見やすくすることができる表示装置を提供する。【解決手段】表示パネルを備える表示装置であって、表示パネルは、表示パネルの前面に画像を表示させるための複数の画像表示要素部と、表示パネルの背面から前面にそれぞれ光を通過させたり、それら光を遮断したりするための複数のシャッタ部と、を、同一面上に配置して成る。【選択図】図１
2008112062.tif 000002
【特許請求の範囲】
【請求項１】
表示パネルを備える表示装置であって、
前記表示パネルは、該表示パネルの前面に画像を表示させるための複数の画像表示要素部と、前記表示パネルの背面から前面にそれぞれ光を通過させたり、それら光を遮断したりするための複数のシャッタ部と、を、同一面上に配置して成ることを特徴とする表示装置。
【請求項２】
請求項１に記載の表示装置において、
前記画像表示要素部と前記シャッタ部とは、前記表示パネルにおける水平方向及び垂直方向のうち、少なくとも一方向において、交互に配置されていることを特徴とする表示装置。
【請求項３】
請求項２に記載の表示装置において、
前記画像表示要素部と前記シャッタ部とは、市松状になるように配置されていることを特徴とする表示装置。
【請求項４】
請求項２に記載の表示装置において、
前記画像表示要素部と前記シャッタ部とは、ストライプ状になるように配置されていることを特徴とする表示装置。
【請求項５】
請求項１に記載の表示装置において、
前記表示パネルは、それぞれ正方形を成す複数の画素を有し、各画素は、それぞれ、赤色，緑色，青色を各々表示するための少なくとも３つの画像表示要素部と、少なくとも１つのシャッタ部と、を含むことを特徴とする表示装置。
【請求項６】
請求項１に記載の表示装置において、
複数の前記画像表示要素部によって前記画像を表示させない場合には、複数の前記シャッタ部が、それぞれ、前記光を通過させ、複数の前記画像表示要素部によって前記画像を表示させる場合には、複数の前記シャッタ部が、それぞれ、前記光を遮断することを特徴とする表示装置。
【請求項７】
請求項１に記載の表示装置において、
複数の前記画像表示要素部は、それぞれ、液晶を含み、
複数の前記画像表示要素部によって前記画像を表示させない場合には、複数の前記シャッタ部が、それぞれ、前記光を通過すると共に、複数の前記画像表示要素部は、それぞれ、前記表示パネルの背面から前面に通過する光を遮断することを特徴とする表示装置。
【請求項８】
請求項１に記載の表示装置において、
複数の前記画像表示要素部は、それぞれ、液晶を含み、
複数の前記画像表示要素部によって前記画像を表示させない場合には、複数の前記シャッタ部が、それぞれ、前記光を通過させると共に、複数の前記画像表示要素部は、それぞれ、前記表示パネルの背面から前面に光を通過させることを特徴とする表示装置。
【請求項９】
表示パネルと、該表示パネルの背面側に配置される面光源と、を備える表示装置であって、
前記表示パネルは、該表示パネルの前面に画像を表示させるための複数の画像表示要素部と、前記表示パネルの背面から前面にそれぞれ光を通過させたり、それら光を遮断したりするための複数のシャッタ部と、を、同一面上に配置して成り、
前記面光源は、該面光源の前面からそれぞれ光を照射する複数の発光部と、前記面光源の背面から前面にそれぞれ光を通過させるための複数の透明部と、を、同一面上に配置して成ることを特徴とする表示装置。
【請求項１０】
請求項９に記載の表示装置において、
前記面光源における複数の前記発光部は、前記表示パネルにおける複数の前記画像表示要素部とそれぞれ一対一に対応すると共に、前記面光源における複数の前記透明部は、前記表示パネルにおける複数の前記シャッタ部とそれぞれ一対一に対応することを特徴とする表示装置。
【請求項１１】
請求項９に記載の表示装置において、
前記画像表示要素部と前記シャッタ部とは、前記表示パネルにおける水平方向及び垂直方向のうち、少なくとも一方向において、交互に配置されていると共に、
前記発光部と前記透明部とは、前記面光源における水平方向及び垂直方向のうち、少なくとも一方向において、交互に配置されていることを特徴とする表示装置。
【請求項１２】
請求項１１に記載の表示装置において、
前記画像表示要素部と前記シャッタ部とは、市松状になるように配置されていると共に、
前記発光部と前記透明部とも、市松状になるように配置されていることを特徴とする表示装置。
【請求項１３】
請求項１１に記載の表示装置において、
前記画像表示要素部と前記シャッタ部とは、ストライプ状になるように配置されていると共に、
前記発光部と前記透明部とも、ストライプ状になるように配置されていることを特徴とする表示装置。
【請求項１４】
請求項９に記載の表示装置において、
複数の前記画像表示要素部によって前記画像を表示させない場合には、複数の前記シャッタ部が、それぞれ、前記表示パネルの背面から前面に前記光を通過させると共に、複数の前記発光部は、それぞれ、前記面光源の前面からの前記光の照射を停止し、複数の前記画像表示要素部によって前記画像を表示させる場合には、複数の前記シャッタ部が、それぞれ、前記表示パネルの背面から前面に通過する前記光を遮断すると共に、複数の前記発光部は、それぞれ、前記面光源の前面から前記光を照射することを特徴とする表示装置。
【請求項１５】
請求項９に記載の表示装置において、
隣接する前記画像表示要素部同士の間隔は、隣接する前記発光部同士の間隔と同じか、その間隔より狭いことを特徴とする表示装置。
【請求項１６】
表示パネルを備える表示装置であって、
前記表示パネルは、該表示パネルの前面に画像を表示させるための複数の画像表示要素部と、前記表示パネルの背面から前面に光を通過させるための複数の透明部と、を、同一面上に配置して成ることを特徴とする画像表示装置。
【請求項１７】
表示パネルと、該表示パネルの背面側に配置される面光源と、を備える表示装置であって、
前記表示パネルは、該表示パネルの前面に画像を表示させるための複数の画像表示要素部と、前記表示パネルの背面から前面にそれぞれ光を通過させるための複数の第１の透明部と、を、同一面上に配置して成り、
前記面光源は、前記表示パネルにおける複数の前記画像表示要素部とそれぞれ一対一に対応すると共に、前記面光源の前面からそれぞれ光を照射する複数の発光部と、前記表示パネルにおける複数の前記第１の透明部とそれぞれ一対一に対応すると共に、前記面光源の背面から前面にそれぞれ光を通過させるための複数の第２の透明部と、を、同一面上に配置して成ることを特徴とする表示装置。
【発明の詳細な説明】
【技術分野】
【０００１】
本発明は、表示パネルに画像を表示させたり、表示パネルの後方を透かしたりすることが可能な表示装置に関するものである。
【背景技術】
【０００２】
図１８は従来における車載用の表示装置を示す概略図である。この表示装置９１０は、液晶ディスプレイパネル９１２と、ハーフミラー９１４と、を備え、車両のインストルメントパネルにおいて、機械式メータ９２０の前方に取り付けられる。
【０００３】
この表示装置９１０では、液晶ディスプレイパネル９１２の画面上に所望の画像を表示させることにより、観視者９３０であるドライバから見ると、機械式メータ９２０の表示の上に、液晶ディスプレイパネル９１２によって表示された画像が重ねて見えることになる。
【０００４】
従って、液晶ディスプレイパネル９１２の画面上に、車両走行中に必要な情報を表示させることにより、観視者９３０であるドライバは、機械式メータ９２０を見るだけで、それらの情報も併せて取得することができる。
【０００５】
なお、この種の表示装置に関連するものとしては、例えば、下記の特許文献１に記載のものが知られている。
【０００６】
【特許文献１】特開２００４−２４９７５３号公報
【発明の開示】
【発明が解決しようとする課題】
【０００７】
しかしながら、上記した従来技術においては、図１８に示すように、観視者９３０と機械式メータ９２０と結ぶラインに対して、液晶ディスプレイパネル９１２は、直交にするように配置され、それに伴い、ハーフミラー９１４もそのラインに対して４５度傾けて配置されるため、表示装置９１０自体の奥行きが長くなり、表示装置９１０の占めるスペースが大きくなってしまうという問題があった。
【０００８】
また、ハーフミラー９１４を用いているため、液晶ディスプレイパネル９１２によって画像を表示する際には、必ず、機械式メータ９２０の表示が見えてしまい、観視者９３０にとって、表示される画像が見えにくいという問題もあった。
【０００９】
従って、本発明の目的は、上記した従来技術の問題点を解決し、大きなスペースを占めることなく、画像を表示させる際には、表示される画像を見やすくすることができる表示装置を提供することにある。
【課題を解決するための手段】
【００１０】
上記した目的の少なくとも一部を達成するために、本発明の第１の表示装置は、表示パネルを備える表示装置であって、前記表示パネルは、該表示パネルの前面に画像を表示させるための複数の画像表示要素部と、前記表示パネルの背面から前面にそれぞれ光を通過させたり、それら光を遮断したりするための複数のシャッタ部と、を、同一面上に配置して成ることを要旨とする。
【００１１】
このように、第１の表示装置では、複数の画像表示要素部によって、表示パネルに画像を表示させることができる。また、複数のシャッタ部によって、表示パネルの背面から前面への光を通過させたり、遮断したりすることにより、表示装置を前面から見た場合に、表示装置の後方にある背景（例えば、表示装置が機械式メータの前方に配置されている場合には、その機械式メータの表示）を透かして見せたり、見えなくしたりすることができる。さらに、第１の表示装置では、ハーフミラーを用いていないため、表示装置自体の奥行きを短くすることができ、表示装置の占めるスペースを小さくすることができる。
【００１２】
本発明の第１の表示装置において、前記画像表示要素部と前記シャッタ部とは、前記表示パネルにおける水平方向及び垂直方向のうち、少なくとも一方向において、交互に配置されていることが好ましい。
【００１３】
このように配置することにより、表示装置を前面から見た場合に、画像を表示する場合における表示される画像と、画像を表示しない場合における表示装置の後方にある背景と、をバランスよく見せることができると共に、画質を向上させることができる。
【００１４】
本発明の第１の表示装置において、前記画像表示要素部と前記シャッタ部とは、市松状になるように配置されていることが好ましい。また、前記画像表示要素部と前記シャッタ部とは、ストライプ状になるように配置されていてもよい。
【００１５】
このように配置することにより、表示装置を前面から見た場合に、画像を表示する場合における表示される画像と、画像を表示しない場合における表示装置の後方にある背景と、をよりバランスよく見せることができると共に、画質もより向上させることができる。特に、画像表示要素部とシャッタ部とは、市松状になるように配置すると、隣接する画像表示要素部間または隣接するシャッタ部間を近づくように配置することができる。
【００１６】
本発明の第１の表示装置において、前記表示パネルは、それぞれ正方形を成す複数の画素を有し、各画素は、それぞれ、赤色，緑色，青色を各々表示するための少なくとも３つの画像表示要素部と、少なくとも１つのシャッタ部と、を含むことが好ましい。
【００１７】
このように構成することにより、画像を表示させる際に、カラー画像を解像度の劣化無く表示させることができる。
【００１８】
本発明の第１の表示装置において、複数の前記画像表示要素部によって前記画像を表示させない場合には、複数の前記シャッタ部が、それぞれ、前記光を通過させ、複数の前記画像表示要素部によって前記画像を表示させる場合には、複数の前記シャッタ部が、それぞれ、前記光を遮断することが好ましい。
【００１９】
このように、表示パネルに画像を表示しない場合には、表示パネルの背面から前面への光を通過させることにより、表示装置を前面から見た場合、表示装置の後方にある背景（例えば、機械式メータの表示）を透かして見ることができる。一方、表示パネルに画像を表示する場合には、表示パネルの背面から前面への光を遮断することにより、表示装置を前面から見た場合、表示装置の後方にある背景が見えなくなるため、表示パネルに表示される画像を見やすくすることができる。
【００２０】
本発明の第１の表示装置において、複数の前記画像表示要素部は、それぞれ、液晶を含み、複数の前記画像表示要素部によって前記画像を表示させない場合には、複数の前記シャッタ部が、それぞれ、前記光を通過させると共に、複数の前記画像表示要素部は、それぞれ、前記表示パネルの背面から前面に通過する光を遮断するようにしてもよい。
【００２１】
このように、各画像表示要素部が、それぞれ、液晶を含むことによって、画像表示要素部自体も、シャッタ部と同様に、表示パネルの背面から前面に光を通過させたり、その光を遮断したりすることができる。しかも、表示パネルに画像を表示させない場合には、シャッタ部だけでなく、画像表示要素部においても、表示パネルの背面から前面への光を通過させることにより、表示装置を前面から見た場合に、表示装置の後方にある背景も見えなくなり、あたかも、ブラインドを下ろしたような効果を期待できる。
【００２２】
本発明の第１の表示装置において、複数の前記画像表示要素部は、それぞれ、液晶を含み、複数の前記画像表示要素部によって前記画像を表示させない場合には、複数の前記シャッタ部が、それぞれ、前記光を通過させると共に、複数の前記画像表示要素部も、それぞれ、前記表示パネルの背面から前面に光を通過させるようしてもよい。
【００２３】
このように、表示パネルに画像を表示させない場合には、シャッタ部において、表示パネルの背面から前面への光を通過させると共に、画像表示要素部においても、表示パネルの背面から前面への光を通過させることにより、表示装置を前面から見た場合に、表示装置の後方にある背景をより明るく見せることができる。
【００２４】
本発明の第２の表示装置は、表示パネルと、該表示パネルの背面側に配置される面光源と、を備える表示装置であって、前記表示パネルは、該表示パネルの前面に画像を表示させるための複数の画像表示要素部と、前記表示パネルの背面から前面にそれぞれ光を通過させたり、それら光を遮断したりするための複数のシャッタ部と、を、同一面上に配置して成り、前記面光源は、該面光源の前面からそれぞれ光を照射する複数の発光部と、前記面光源の背面から前面にそれぞれ光を通過させるための複数の透明部と、を、同一面上に配置して成ることを要旨とする。
【００２５】
このように、第２の表示装置においても、複数の画像表示要素部によって、表示パネルに画像を表示させることができる。また、複数のシャッタ部によって、表示パネルの背面から前面への光を通過させたり、遮断したりすることにより、表示装置を前面から見た場合に、表示装置の後方にある背景（例えば、機械式メータの表示）を透かして見せたり、見えなくしたりすることができる。また、複数の発光部によって、表示パネルを背面から照明することにより、表示パネルに表示される画像を明るく見せることができる。さらに、第２の表示装置においても、ハーフミラーを用いていないため、表示装置自体の奥行きを短くすることができ、表示装置の占めるスペースを小さくすることができる。また、上記の構成を採用することにより、表示パネルに表示される画像または表示装置の後方にある背景を、所定の観視位置では観視でき、他の位置では観視できないようにすることができる。
【００２６】
本発明の第２の表示装置において、前記面光源における複数の前記発光部は、前記表示パネルにおける複数の前記画像表示要素部とそれぞれ一対一に対応すると共に、前記面光源における複数の前記透明部は、前記表示パネルにおける複数の前記シャッタ部とそれぞれ一対一に対応することが好ましい。
【００２７】
このように、発光部と画像表示要素部とが一対一に対応することにより、発光部からの光を、対応する画像表示要素部に有効に入射させることができる。また、透明部とシャッタ部とが一対一に対応することにより、透明部を通過した光も、対応するシャッタ部に有効に入射させることができる。
【００２８】
本発明の第２の表示装置において、前記画像表示要素部と前記シャッタ部とは、前記表示パネルにおける水平方向及び垂直方向のうち、少なくとも一方向において、交互に配置されていると共に、前記発光部と前記透明部とは、前記面光源における水平方向及び垂直方向のうち、少なくとも一方向において、交互に配置されていることが好ましい。
【００２９】
このように配置することにより、表示装置を前面から見た場合に、画像を表示する場合における表示される画像と、画像を表示しない場合における表示装置の後方にある背景と、をバランスよく見せることができ、画質を向上させることができると共に、発光部からの光を有効に利用することができる。
【００３０】
本発明の第２の表示装置において、前記画像表示要素部と前記シャッタ部とは、市松状になるように配置されていると共に、前記発光部と前記透明部とも、市松状になるように配置されていることが好ましい。また、前記画像表示要素部と前記シャッタ部とは、ストライプ状になるように配置されていると共に、前記発光部と前記透明部とも、ストライプ状になるように配置されていてもよい。
【００３１】
このように配置することにより、表示装置を前面から見た場合に、画像を表示する場合における表示される画像と、画像を表示しない場合における表示装置の後方にある背景と、をよりバランスよく見せることができ、画質もより向上させることができると共に、発光部からの光もより有効に利用することができる。
【００３２】
本発明の第２の表示装置において、複数の前記画像表示要素部によって前記画像を表示させない場合には、複数の前記シャッタ部が、それぞれ、前記表示パネルの背面から前面に前記光を通過させると共に、複数の前記発光部は、それぞれ、前記面光源の前面からの前記光の照射を停止し、複数の前記画像表示要素部によって前記画像を表示させる場合には、複数の前記シャッタ部が、それぞれ、前記表示パネルの背面から前面に通過する前記光を遮断すると共に、複数の前記発光部は、それぞれ、前記面光源の前面から前記光を照射することが好ましい。
【００３３】
このように、表示パネルに画像を表示しない場合には、表示パネルの背面から前面への光を通過させることにより、表示装置を前面から見た場合、表示装置の後方にある背景（例えば、機械式メータの表示）を透かして見ることができる。また、この際、面光源からの光の照射を停止することにより、表示装置の後方にある背景をより見やすくすることができる。一方、表示パネルに画像を表示する場合には、表示パネルの背面から前面への光を遮断することにより、表示装置を前面から見た場合、表示装置の後方にある背景が見えなくなるため、表示パネルに表示される画像を見やすくすることができる。また、この際、面光源によって表示パネルを背面から照明することにより、表示パネルに表示される画像を明るく見せることができる。
【００３４】
本発明の第２の表示装置において、隣接する前記画像表示要素部同士の間隔は、隣接する前記発光部同士の間隔と同じか、その間隔より狭いことが好ましい。
【００３５】
このように構成することにより、表示装置の前方において、表示パネルに表示される画像がムラ無く適正に見える範囲を広げることができる。
【００３６】
本発明の第３の表示装置は、表示パネルを備える表示装置であって、前記表示パネルは、該表示パネルの前面に画像を表示させるための複数の画像表示要素部と、前記表示パネルの背面から前面に光を通過させるための複数の透明部と、を、同一面上に配置して成ることを要旨とする。
【００３７】
このように、第３の表示装置においても、複数の画像表示要素部によって、表示パネルに画像を表示させることができる。また、複数の透明部によって、表示パネルの背面から前面への光を通過させることにより、表示装置を前面から見た場合に、表示装置の後方にある背景（例えば、機械式メータの表示）を透かして見せることができる。さらに、第３の表示装置においても、ハーフミラーを用いていないため、表示装置自体の奥行きを短くすることができ、表示装置の占めるスペースを小さくすることができる。
【００３８】
本発明の第４の表示装置は、表示パネルと、該表示パネルの背面側に配置される面光源と、を備える表示装置であって、前記表示パネルは、該表示パネルの前面に画像を表示させるための複数の画像表示要素部と、前記表示パネルの背面から前面にそれぞれ光を通過させるための複数の第１の透明部と、を、同一面上に配置して成り、前記面光源は、前記表示パネルにおける複数の前記画像表示要素部とそれぞれ一対一に対応すると共に、前記面光源の前面からそれぞれ光を照射する複数の発光部と、前記表示パネルにおける複数の前記第１の透明部とそれぞれ一対一に対応すると共に、前記面光源の背面から前面にそれぞれ光を通過させるための複数の第２の透明部と、を、同一面上に配置して成ることを要旨とする。
【００３９】
このように、第４の表示装置においても、複数の画像表示要素部によって、表示パネルに画像を表示させることができる。また、複数の第１の透明部によって、表示パネルの背面から前面への光を通過させることにより、表示装置を前面から見た場合に、表示装置の後方にある背景（例えば、機械式メータの表示）を透かして見せることができる。また、複数の発光部によって、表示パネルを背面から照明することにより、表示装置を前面から見た場合に、表示パネルでの表示を明るく見せることができる。また、複数の第２の透明部によって、面光源の背面から前面への光を通過させることにより、表示装置を前面から見た場合に、表示装置の後方にある背景を透かして見せることができる。さらに、第４の表示装置においても、ハーフミラーを用いていないため、表示装置自体の奥行きを短くすることができ、表示装置の占めるスペースを小さくすることができる。
【００４０】
なお、本発明は、上記した表示装置などの装置発明の態様に限ることなく、表示方法などの方法発明としての態様で実現することも可能である。
【発明を実施するための最良の形態】
【００４１】
以下、本発明の実施の形態を実施例に基づいて以下の順序で説明する。
Ａ．第１の実施例：
Ａ−１．実施例の概要：
Ａ−２．実施例の構成：
Ａ−３．実施例の動作：
Ａ−３−１．液晶表示モード：
Ａ−３−２．メータ表示モード：
Ａ−４．寸法の決定方法：
Ａ−５．実施例の効果：
Ｂ．第２の実施例：
Ｂ−１．実施例の概要：
Ｂ−２．実施例の構成：
Ｂ−３．実施例の動作：
Ｂ−３−１．ＥＬ表示モード：
Ｂ−３−２．メータ表示モード：
Ｂ−４．実施例の効果：
Ｃ．第３の実施例：
Ｃ−１．実施例の構成：
Ｃ−２．実施例の動作：
Ｃ−２−１．液晶表示モード：
Ｃ−２−２．メータ表示モード：
Ｃ−３．実施例の効果：
Ｄ．変形例：
【００４２】
Ａ．第１の実施例：
Ａ−１．実施例の概要：
図１は本発明の第１の実施例としての表示装置を模式的に示した説明図である。本実施例における表示装置１００は、車載用の表示装置であって、図１に示すように、液晶ディスプレイパネル１１０と、その液晶ディスプレイパネル１１０の後方に配置されるバックライト１５０と、コントローラ１７０と、を備えている。これらのうち、液晶ディスプレイパネル１１０及びバックライト１５０は、車両（図示せず）のインストルメントパネル（図示せず）において、機械式メータ２００の前方に取り付けられる。
【００４３】
コントローラ１７０には、外部より、モード切換信号１７２と、画像信号１７４と、が入力されており、コントローラ１７０は、これらの信号に基づいて、液晶ディスプレイパネル１１０を駆動するためのパネル駆動信号１７６と、バックライト１５０を駆動するためのライト駆動信号１７８と、を生成する。表示装置１００は、コントローラ１７０に入力されるモード切換信号１７２に応じて、画像表示モードとして、液晶表示モードと、メータ表示モードと、を切り換えて動作する。
【００４４】
液晶表示モードでは、バックライト１５０が、液晶ディスプレイパネル１１０の背面を照明する。液晶ディスプレイパネル１１０は、コントローラ１７０に入力される画像信号１７４に基づいて、所望の画像を表示すると共に、機械式メータ２００からの光を遮断するようにする。この結果、観視者３００であるドライバから見ると、図１（ａ）に示すように、液晶ディスプレイパネル１１０に表示された画像は見えるが、バックライト１５０の後方にある機械式メータ２００の表示は見えないこととなる。
【００４５】
反対に、メータ表示モードでは、バックライト１５０が、液晶ディスプレイパネル１１０の背面への照明を停止する。液晶ディスプレイパネル１１０は、画像の表示を停止すると共に、機械式メータ２００からの光を通過させるようにする。この結果、観視者３００であるドライバから見ると、図１（ｂ）に示すように、液晶ディスプレイパネル１１０に画像が表示されなくなり、代わりに、液晶ディスプレイパネル１１０及びバックライト１５０を透かして、バックライト１５０の後方にある機械式メータ２００の表示は見えることとなる。
【００４６】
Ａ−２．実施例の構成：
図２及び図３は、それぞれ図１における液晶ディスプレイパネル１１０及びバックライト１５０の断面を模式的に示した説明図である。このうち、図２は液晶表示モード時の状態を、図３はメータ表示モード時の状態を、それぞれ示している。
【００４７】
これら図に示すように、液晶ディスプレイパネル１１０は、その両者を２枚のガラス基板１１６，１１８によって挟持され、液晶層１１２の前面に位置するガラス基板１１８にフィルタ層１１４を配置することにより構成されている。このうち、液晶層１１２は、液晶及び配向膜（図示せず）を備えており、面方向において、画像表示要素部１２０とシャッタ部１２２とに分かれている。そして、複数の画像表示要素部１２０と複数のシャッタ部１２２とは、面方向において、互いに交互に並んでいる。また、フィルタ層１１４には、各々の画像表示要素部１２０の前面に位置する部分に、それぞれ、赤色（Ｒ），青色（Ｂ），緑色（Ｂ）の３色の色フィルタ１２４Ｒ，１２４Ｇ，１２４Ｂのうち、何れかの色の色フィルタが配置されており、それ以外の部分、すなわち、各々のシャッタ部１２２の前面に位置する部分には、光が透過するように透明部１２５が配置されている。
【００４８】
なお、液晶ディスプレイパネル１１０は、その他、透明電極、偏光子、走査線駆動回路及びデータ線駆動回路なども備えているが、図では省略されている。
【００４９】
これらのうち、各画像表示要素部１２０は、それぞれ、液晶駆動によって、その前面に配置されるＲＧＢの各色フィルタ１２４Ｒ，１２４Ｇ，１２４Ｂと協働して、カラー画像を表示する。また、各シャッタ部１２２は、それぞれ、液晶駆動によって、開放状態と遮断状態とで切り換わり、開放状態では、液晶ディスプレイパネル１１０の背面から前面に光を通過させ、遮断状態では、それらの光を遮断する。
【００５０】
一方、バックライト１５０は、発光層１５２をガラス基板１５４で支持することにより構成されている。このうち、発光層１５２は、発光部１５６と、透明部１５８と、に分かれており、面方向において、複数の発光部１５６と複数の透明部１５８とが、互いに交互に並んでいる。このうち、各発光部１５６は、それぞれ、エレクトロルミネッセンス（electroluminescence：ＥＬ）デバイスによって構成されており、液晶ディスプレイパネル１１０に向かって、光を照射する。尚、バックライト１５０は、発光層１５２に電源を供給するための電極も備えているが、図では省略されている。発光部１５６と機械式メータ２００との間には、遮光部が設けられていることが望ましい。遮光部としては、発光層１５２に電源を供給するための電極であってもよく、例えば、アルミニウム、銀などにより形成される。また、発光部１５６、複数の画像表示要素部１２０、色フィルタ１２４Ｒ，１２４Ｇ，１２４Ｂを介して、観視者３００が機械式メータ２００の表示を認識しないように、発光部１５６の発光輝度を調整してもよい。また、各透明部１５８は、それぞれ、透明な樹脂またはガラスで構成されており、バックライト１５０の背面から前面へ向かって光を透過する。尚、複数のシャッタ部１２２が光を透過する状態となったときに、透明部１２５,１５８、及びシャッタ部１２２を介して、機械式メータ２００の表示を観視者３００が観視できる状態にできればよく、本明細書において透明とは、にごりがない材料で形成されることを意図していない。
【００５１】
図４は図２及び図３における液晶ディスプレイパネル１１０を観視者３００側から見て示した説明図であり、図５は図２及び図３におけるバックライト１５０を観視者３００側から見て示した説明図である。
【００５２】
前述したとおり、液晶ディスプレイパネル１１０において、複数の画像表示要素部１２０と複数のシャッタ部１２２とは、面方向において互いに交互に並んでいるが、具体的には、図４に示すように、互いに市松状に並んでいる。また、各画像表示要素部１２０の前面にあるＲＧＢの各色フィルタ１２４Ｒ，１２４Ｇ，１２４Ｂは、面方向において、それぞれ、均等に分散されるように、配置されている。
【００５３】
本実施例では、図４の左端に示すように、ＲＧＢの各色フィルタ１２４Ｒ，１２４Ｇ，１２４Ｂを前面に備える３つの画像表示要素部１２０と、３つのシャッタ部１２２と、によって、１つの画素を構成しており、液晶ディスプレイパネル１１０において、それらの各画素がそれぞれ正方形（正方画素）を成すように、画像表示要素部１２０及びシャッタ部１２２の形状が設計されている。
【００５４】
一方、前述したとおり、バックライト１５０において、複数の発光部１５６と複数の透明部１５８も、面方向において互いに交互に並んでいるが、具体的には、液晶ディスプレイパネル１１０の場合と同様に、図５に示す如く、互いに市松状に並んでいる。
【００５５】
図６は図４の液晶ディスプレイパネル１１０における画像表示要素部１２０及びシャッタ部１２２と、図５のバックライト１５０における発光部１５６及び透明部１５８と、の位置的な対応関係を示す説明図である。
【００５６】
本実施例では、図６に示すように、液晶ディスプレイパネル１１０における画像表示要素部１２０と、バックライト１５０における発光部１５６とは、位置的にそれぞれ一対一に対応しており、また、シャッタ部１２２と、透明部１５８も、位置的にそれぞれ一対一に対応している。なお、図６では、各シャッタ部１２２が、それぞれ、開放状態である場合を示している。
【００５７】
なお、本実施例において、液晶ディスプレイパネル１１０は、請求項における表示パネルに、バックライト１５０は、請求項における面光源に、それぞれ、相当する。
【００５８】
Ａ−３．実施例の動作：
Ａ−３−１．液晶表示モード：
コントローラ１７０は、入力されるモード切換信号１７２が液晶表示モードを示している場合には、ライト駆動信号１７８によって、バックライト１５０に対して、各発光部１５６が、それぞれ、画像表示要素部１２０に向かって光を照射するように制御する。また、コントローラ１７０は、パネル駆動信号１７６によって、液晶ディスプレイパネル１１０に対し、各シャッタ部１２２が、それぞれ、遮断状態になるように制御すると共に、入力される画像信号１７４に基づいて、各画像表示要素部１２０が、それぞれ、各色フィルタ１２４Ｒ，１２４Ｇ，１２４Ｂと協働して、カラー画像を表示するように制御する。
【００５９】
この結果、図２に示すように、バックライト１５０において、各発光部１５６から照射した光は、液晶ディスプレイパネル１１０において、それぞれ、対応する画像表示要素部１２０に入射する。そして、入射した光は、各画像表示要素部１２０にて、それぞれ、画像信号１７４に応じて変調された後、各色フィルタ１２４Ｒ，１２４Ｇ，１２４Ｂを介して、ＲＧＢの各色の光に変換されて、観視者３００に到達する。一方、機械式メータ２００からの光は、バックライト１５０において、各透明部１５８をそれぞれ透過するものの、液晶ディスプレイパネル１１０において、全てのシャッタ部１２２は、遮断状態となっているため、バックライト１５０を透過した光は、液晶ディスプレイパネル１１０において、遮断されてしまい、観視者３００には到達しない。尚、発光部１５６と機械メータ２００との間に遮光部が設けられていれば、光はバックライト１５０を透過しない。
【００６０】
従って、このような液晶表示モードでは、観視者３００であるドライバから見ると、液晶ディスプレイパネル１１０に表示されたカラー画像を見ることができるが、バックライト１５０の後方にある機械式メータ２００の表示を見ることができない。尚、各シャッタ部１２２が、それぞれ、開放状態になるように制御してもよい。このようにすることにより、観視者３００であるドライバから見ると、液晶ディスプレイパネル１１０に表示されたカラー画像を見ることができる他、液晶ディスプレイパネル１１０及びバックライト１５０を透かして、バックライト１５０の後方にある機械式メータ２００の表示を重ねて見ることができる。
【００６１】
Ａ−３−２．メータ表示モード：
一方、コントローラ１７０は、入力されるモード切換信号１７２がメータ表示モードを示している場合には、ライト駆動信号１７８によって、バックライト１５０に対して、各発光部１５６が、それぞれ、画像表示要素部１２０に対する光の照射を停止するように制御する。また、コントローラ１７０は、パネル駆動信号１７６によって、液晶ディスプレイパネル１１０に対し、各シャッタ部１２２が、それぞれ、開放状態になるように制御すると共に、各画像表示要素部１２０が、それぞれ、画像の表示を停止するように制御する。
【００６２】
この結果、図３に示すように、機械式メータ２００からの光は、バックライト１５０において、各透明部１５８を、それぞれ、透過して、液晶ディスプレイパネル１１０において、それぞれ、対応するシャッタ部１２２に入射する。全てのシャッタ部１２２は、開放状態となっているため、入射した光は、そのシャッタ部１２２を通過して、観視者３００に到達する。一方、バックライト１５０において、各発光部１５６からの光の照射は停止しており、また、液晶ディスプレイパネル１１０において、各画像表示要素部１２０による画像の表示も停止している。
【００６３】
従って、このようなメータ表示モードでは、観視者３００であるドライバから見ると、液晶ディスプレイパネル１１０の表示画像が消え、液晶ディスプレイパネル１１０及びバックライト１５０を透かして、バックライト１５０の後方にある機械式メータ２００の表示を見ることができる。
【００６４】
Ａ−４．寸法の決定方法：
次に、液晶ディスプレイパネル１１０とバックライト１５０との間の距離や、バックライト１５０における隣接する発光部１５６間の間隔を決定する方法について説明する。
【００６５】
図７及び図８は図１の表示装置１００における主要部の距離や間隔を決定する方法を説明するための説明図である。
【００６６】
図７及び図８において、観視面３１０は、液晶ディスプレイパネル１１０やバックライト１５０などと平行な平面であって、観視者３００と同じ位置にある面である。
【００６７】
また、図７において、Ａは、表示画像の標準到達範囲を示す。具体的には、液晶表示モード時において、液晶ディスプレイパネル１１０に表示されたカラー画像が適正な表示状態で、観視面３１０面上に到達し得る標準的な範囲である。Ｂは、観視面−液晶ディスプレイパネル間の標準距離を示す。具体的には、液晶ディスプレイパネル１１０から観視面３１０までの標準的に想定される距離である。Ｃは、液晶ディスプレイパネル−バックライト間の距離を示す。具体的には、例えば、液晶ディスプレイパネル１１０の液晶層１１２とバックライト１５０の発光層１５２との間の距離である。Ｄは、隣接する画像表示要素部１２０とシャッタ部１２２との間隔であり、Ｄ×２は、隣接画像表示要素部間の間隔を示す。具体的には、Ｄ×２は、液晶ディスプレイパネル１１０において、隣接する画像表示要素部１２０同士の間の間隔である。Ｅは、発光部１５６と透明部１５８との間隔であり、Ｅ×２は、隣接発光部間の間隔を示す。具体的には、Ｅ×２は、バックライト１５０において、隣接する発光部１５６同士の間の間隔である。
【００６８】
なお、図７に示すように、機械式メータ２００からバックライト１５０の発光部１５６の中心と液晶ディスプレイパネル１１０の画像表示要素部１２０の中心とを結ぶ線と、バックライト１５０の透明部１５８の中心と液晶ディスプレイパネル１１０の画像表示要素部１２０の中心とを結ぶ線とが、観察面３１０と交差する点を、それぞれ到達点Ｏ及びＰとしている。Ａの値は、到達点ＰとＯの間の距離に相当する。図２に示す液晶表示モードでは、観視者３００から見ると、到達点Ｏにおいては、液晶ディスプレイパネル１１０に表示されたカラー画像を見る状態とし、到達点Ｐにおいては、液晶ディスプレイパネル１１０に表示されたカラー画像を見えない状態とすることができる。また、図３に示すメータ表示モードでは、発光部１５６と機械メータ２００との間に遮光部が設けられており、全てのシャッタ部１２２は、開放状態であり、全ての画像表示要素部１２０は遮光状態であれば、観視者３００から見ると、到達点Ｏにおいては、背景である機械メータ２００を見る状態とし、到達点Ｐにおいては、背景である機械メータ２００を見えない状態とすることができる。
【００６９】
これら値のうち、Ａ，Ｂ，Ｄの各値は、それぞれ、既知の値であり、これら値に基づいて、Ｃ，Ｅの各値を決定するのである。
【００７０】
そこで、図７において、観視面３１０と液晶ディスプレイパネル１１０との間に存在する直角三角形αと、液晶ディスプレイパネル１１０とバックライト１５０との間に存在する直角三角形βと、に着目すると、両者は相似形を成している。従って、式（１）が成立する。
Ａ：Ｂ＝Ｅ：Ｃ      （１）
【００７１】
一方、図８において、観視面３１０と液晶ディスプレイパネル１１０との間に存在する直角三角形γと、観視面３１０とバックライト１５０との間に存在する直角三角形δと、に着目する、と両者は相似形を成している。従って、式（２）が成立する。
Ｂ：Ｄ×２＝（Ｂ＋Ｃ）：Ｅ×２      （２）
【００７２】
従って、これら式（１），（２）の連立方程式を解くことによって、Ｃ，２Ｅの各値を求め、決定することができる。
【００７３】
なお、本実施例においては、液晶ディスプレイパネル１１０における隣接画像表示要素部間の間隔Ｄ×２は、バックライト１５０における隣接発光部間の間隔Ｅ×２よりも、狭くなるように（すなわち、Ｄ×２＜Ｅ×２）、構成されている。こうすることにより、観視面３１０において、液晶ディスプレイパネル１１０に表示される画像がムラ無く適正に見える範囲を広げることができる。
【００７４】
Ａ−５．実施例の効果：
以上説明したように、本実施例によれば、液晶表示モード時において、シャッタ部１２２によって、液晶ディスプレイパネル１１０の背面から前面への光を遮断することにより、観視者３００であるドライバから見た場合に、バックライト１５０の後方にある機械式メータ２００の表示が見えなくなるため、液晶ディスプレイパネル１１０に表示される画像を見やすくすることができる。また、この際、バックライト１５０の発光部１５６によって、液晶ディスプレイパネル１１０の背面を照明するため、液晶ディスプレイパネル１１０に表示される画像を明るく見せることができる。
【００７５】
また、メータ表示モードにおいて、シャッタ部１２２によって、液晶ディスプレイパネル１１０の背面から前面への光を通過させることにより、観視者３００であるドライバから見た場合に、バックライト１５０の後方にある機械式メータ２００の表示を透かして見ることができる。また、この際、バックライト１５０の発光部１５６からの光の照射を停止することにより、バックライト１５０の後方にある機械式メータ２００の表示をより見やすくすることができる。
【００７６】
さらに、本実施例によれば、表示装置１００がハーフミラーを用いていないため、表示装置１００自体の奥行きを短くすることができ、表示装置１００の占めるスペースを小さくすることができる。
【００７７】
Ｂ．第２の実施例：
Ｂ−１．実施例の概要：
上記した第１の実施例における表示装置１００では、液晶ディスプレイパネル１１０とバックライト１５０とを用いていたが、本実施例では、これらに代えて、シャッタ部付きのエレクトロルミネッセンス（electroluminescence：ＥＬ）ディスプレイパネルを用いるようにしている。
【００７８】
図９は本発明の第２の実施例としての表示装置を模式的に示した説明図である。本実施例における表示装置１００’も、第１の実施例の場合と同様に、車載用の表示装置であって、図９に示すように、シャッタ部付きのＥＬディスプレイパネル１４０と、コントローラ１７０’と、を備えている。これらのうち、ＥＬディスプレイパネル１４０は、車両（図示せず）のインストルメントパネル（図示せず）において、機械式メータ２００の前方に取り付けられる。
【００７９】
コントローラ１７０’には、外部より、モード切換信号１７２と、画像信号１７４と、が入力されており、コントローラ１７０’は、これらの信号に基づいて、ＥＬディスプレイパネル１４０を駆動するためのパネル駆動信号１７９を生成する。表示装置１００’は、第１の実施例の場合と同様に、コントローラ１７０に入力されるモード切換信号１７２に応じて、画像表示モードとして、ＥＬ表示モードと、メータ表示モードと、を切り換えて動作する。
【００８０】
ＥＬ表示モードでは、ＥＬディスプレイパネル１４０が、コントローラ１７０に入力される画像信号１７４に基づいて、所望の画像を表示すると共に、機械式メータ２００からの光を遮断するようにする。この結果、観視者３００であるドライバから見ると、図９（ａ）に示すように、ＥＬディスプレイパネル１４０に表示された画像は見えるが、ＥＬディスプレイパネル１４０の後方にある機械式メータ２００の表示は見えないこととなる。
【００８１】
反対に、メータ表示モードでは、ＥＬディスプレイパネル１４０が、画像の表示を停止すると共に、機械式メータ２００からの光を通過させるようにする。この結果、観視者３００であるドライバから見ると、図９（ｂ）に示すように、ＥＬディスプレイパネル１４０に画像が表示されなくなり、代わりに、ＥＬディスプレイパネル１４０を透かして、ＥＬディスプレイパネル１４０の後方にある機械式メータ２００の表示は見えることとなる。
【００８２】
Ｂ−２．実施例の構成：
図１０及び図１１は、それぞれ図９におけるＥＬディスプレイパネル１４０の断面を模式的に示した説明図である。このうち、図１０はＥＬ表示モード時の状態を、図１１はメータ表示モード時の状態を、それぞれ示している。
【００８３】
これら図に示すように、ＥＬディスプレイパネル１４０は、ＥＬ・液晶層１２６を２枚のガラス基板１１６，１１８によって挟持することにより構成されている。このうち、ＥＬ・液晶層１２６は、面方向において、赤色（Ｒ），青色（Ｂ），緑色（Ｂ）の３色に対応する画像表示要素部１２８Ｒ，１２８Ｇ，１２８Ｂと、シャッタ部１２２と、に分かれている。そして、複数の画像表示要素部と複数のシャッタ部１２２とは、面方向において、互いに交互に並んでいる。Ｒに対応する画像表示要素部１２８Ｒは、Ｒの光を発光するＥＬデバイスによって構成されており、Ｂに対応する画像表示要素部１２８Ｂは、Ｂの光を発光するＥＬデバイスによって構成されており、Ｇに対応する画像表示要素部１２８Ｇは、Ｇの光を発光するＥＬデバイスによって構成されている。また、シャッタ部１２２は、液晶及び配向膜などによって構成されている。
【００８４】
これらのうち、ＲＧＢの各画像表示要素部１２８Ｒ，１２８Ｇ，１２８Ｂは、それぞれ、電圧が印加されると、対応する色で発光して、カラー画像を表示する。また、各シャッタ部１２２は、それぞれ、液晶駆動によって、開放状態と遮断状態とで切り換わり、開放状態では、ＥＬディスプレイパネル１４０の背面から前面に光を通過させ、遮断状態では、それらの光を遮断する。
【００８５】
なお、本実施例において、ＥＬディスプレイパネル１４０は、請求項における表示パネルに相当する。
【００８６】
Ｂ−３．実施例の動作：
Ｂ−３−１．ＥＬ表示モード：
コントローラ１７０’は、入力されるモード切換信号１７２がＥＬ表示モードを示している場合には、パネル駆動信号１７９によって、ＥＬディスプレイパネル１４０に対し、各シャッタ部１２２が、それぞれ、遮断状態になるように制御すると共に、入力される画像信号１７４に基づいて、ＲＧＢの各画像表示要素部１２８Ｒ，１２８Ｇ，１２８Ｂが、それぞれ、対応する色で発光して、カラー画像を表示するように制御する。
【００８７】
この結果、図１０に示すように、ＥＬディスプレイパネル１４０において、画像信号１７４に応じて変調されたＲＧＢの各色の光が、ＲＧＢの各画像表示要素部１２８Ｒ，１２８Ｇ，１２８Ｂから、それぞれ、照射されて、観視者３００に到達する。一方、機械式メータ２００からの光は、ＥＬディスプレイパネル１４０に到達するものの、ＥＬディスプレイパネル１４０において、全てのシャッタ部１２２は、遮断状態となっているため、ＥＬディスプレイパネル１４０に到達した光は、ＥＬディスプレイパネル１４０で遮断されてしまい、観視者３００には到達しない。
【００８８】
従って、このようなＥＬ表示モードでは、観視者３００であるドライバから見ると、ＥＬディスプレイパネル１４０に表示されたカラー画像を見ることができるが、ＥＬディスプレイパネル１４０の後方にある機械式メータ２００の表示を見ることができない。
【００８９】
Ｂ−３−２．メータ表示モード：
一方、コントローラ１７０’は、入力されるモード切換信号１７２がメータ表示モードを示している場合には、パネル駆動信号１７９によって、ＥＬディスプレイパネル１４０に対し、各シャッタ部１２２が、それぞれ、開放状態になるように制御すると共に、ＲＧＢの各画像表示要素部１２８Ｒ，１２８Ｇ，１２８Ｂが、それぞれ、対応する色での発光を停止して、画像の表示を停止するように制御する。
【００９０】
この結果、図１１に示すように、機械式メータ２００からの光は、ＥＬディスプレイパネル１４０に到達し、ＥＬディスプレイパネル１４０において、全てのシャッタ部１２２は、開放状態となっているため、ＥＬディスプレイパネル１４０に到達した光は、そのシャッタ部１２２を通過して、観視者３００に到達する。一方、ＥＬディスプレイパネル１４０において、ＲＧＢの各画像表示要素部１２８Ｒ，１２８Ｇ，１２８Ｂによる画像の表示は停止している。
【００９１】
従って、このようなメータ表示モードでは、観視者３００であるドライバから見ると、ＥＬディスプレイパネル１４０の表示画像が消え、ＥＬディスプレイパネル１４０を透かして、ＥＬディスプレイパネル１４０の後方にある機械式メータ２００の表示を見ることができる。
【００９２】
Ｂ−４．実施例の効果：
以上説明したように、本実施例によれば、ＥＬ表示モード時において、シャッタ部１２２によって、ＥＬディスプレイパネル１４０の背面から前面への光を遮断することにより、観視者３００であるドライバから見た場合に、ＥＬディスプレイパネル１４０の後方にある機械式メータ２００の表示が見えなくなるため、ＥＬディスプレイパネル１４０に表示される画像を見やすくすることができる。また、この際、ＥＬディスプレイパネル１４０におけるＲＧＢの各画像表示要素部１２８Ｒ，１２８Ｇ，１２８Ｂは、対応する色を発光するため、ＥＬディスプレイパネル１４０に表示される画像を明るく見せることができる。
【００９３】
また、メータ表示モードにおいて、シャッタ部１２２によって、ＥＬディスプレイパネル１４０の背面から前面への光を通過させることにより、観視者３００であるドライバから見た場合に、ＥＬディスプレイパネル１４０の後方にある機械式メータ２００の表示を透かして見ることができる。また、この際、ＥＬディスプレイパネル１４０におけるＲＧＢの各画像表示要素部１２８Ｒ，１２８Ｇ，１２８Ｂによる発光を停止することにより、ＥＬディスプレイパネル１４０の後方にある機械式メータ２００の表示をより見やすくすることができる。
【００９４】
さらに、本実施例によれば、表示装置１００’がハーフミラーを用いていないため、表示装置１００’自体の奥行きを短くすることができ、表示装置１００’の占めるスペースを小さくすることができる。
【００９５】
また、本実施例によれば、ＥＬディスプレイパネル１４０を用いることにより、バックライト１５０が不要となるため、その分、さらに、表示装置１００’自体の奥行きを短くすることができ、表示装置１００’の占めるスペースを小さくすることができる。
【００９６】
Ｃ．第３の実施例：
Ｃ−１．実施例の構成：
上記した第１の実施例における表示装置１００では、液晶ディスプレイパネル１１０が、複数のシャッタ部１２２を備えていたが、本実施例では、これらシャッタ部１２２に代えて、透明部を備えるようにしている。
【００９７】
図１２及び図１３は、それぞれ本発明の第３の実施例としての表示装置における液晶ディスプレイパネル１１０’及びバックライト１５０の断面を模式的に示した説明図である。このうち、図１２は液晶表示モード時の状態を、図１３はメータ表示モード時の状態を、それぞれ示している。
【００９８】
これら図に示すように、液晶ディスプレイパネル１１０’は、上述したとおり、第１の実施例における液晶ディスプレイパネル１１０と比較して、シャッタ部１２２の代わりに、透明部１３２を備えている。各透明部１３２は、それぞれ、透明な樹脂またはガラスで構成されており、液晶ディスプレイパネル１１０’の背面から前面へ向かって光を透過する。
【００９９】
なお、これ以外の構成は、第１の実施例と同様であるので、それらについての説明は省略する。
【０１００】
また、本実施例において、液晶ディスプレイパネル１１０’は、請求項における表示パネルに相当する。
【０１０１】
Ｃ−２．実施例の動作：
Ｃ−２−１．液晶表示モード：
コントローラ１７０は、入力されるモード切換信号１７２が液晶表示モードを示している場合には、ライト駆動信号１７８によって、バックライト１５０に対して、各発光部１５６が、それぞれ、画像表示要素部１２０に向かって光を照射するように制御する。また、コントローラ１７０は、パネル駆動信号１７６によって、液晶ディスプレイパネル１１０に対し、入力される画像信号１７４に基づいて、各画像表示要素部１２０が、それぞれ、各色フィルタ１２４Ｒ，１２４Ｇ，１２４Ｂと協働して、カラー画像を表示するように制御する。
【０１０２】
この結果、図１２に示すように、バックライト１５０において、各発光部１５６から照射した光は、液晶ディスプレイパネル１１０’において、それぞれ、対応する画像表示要素部１２０に入射する。そして、入射した光は、各画像表示要素部１２０にて、それぞれ、画像信号１７４に応じて変調された後、各色フィルタ１２４Ｒ，１２４Ｇ，１２４Ｂを介して、ＲＧＢの各色の光に変換されて、観視者３００に到達する。一方、機械式メータ２００からの光も、バックライト１５０において、各透明部１５８を、それぞれ、透過して、液晶ディスプレイパネル１１０’において、それぞれ、対応する透明部１３２に入射する。入射した光は、その透明部１３２を透過して、観視者３００に到達する。
【０１０３】
従って、このような液晶表示モードでは、観視者３００であるドライバから見ると、液晶ディスプレイパネル１１０’に表示されたカラー画像を見ることができる他、液晶ディスプレイパネル１１０’及びバックライト１５０を透かして、バックライト１５０の後方にある機械式メータ２００の表示を重ねて見ることができる。
【０１０４】
Ｃ−２−２．メータ表示モード：
一方、コントローラ１７０は、入力されるモード切換信号１７２がメータ表示モードを示している場合には、ライト駆動信号１７８によって、バックライト１５０に対して、各発光部１５６が、それぞれ、画像表示要素部１２０に対する光の照射を停止するように制御する。また、コントローラ１７０は、パネル駆動信号１７６によって、液晶ディスプレイパネル１１０’に対し、各画像表示要素部１２０が、それぞれ、画像の表示を停止するように制御する。
【０１０５】
この結果、図１３に示すように、機械式メータ２００からの光は、バックライト１５０において、各透明部１５８を、それぞれ、透過して、液晶ディスプレイパネル１１０’において、それぞれ、対応する透明部１３２に入射する。入射した光は、その透明部１３２を通過して、観視者３００に到達する。一方、バックライト１５０において、各発光部１５６からの光の照射は停止しており、また、液晶ディスプレイパネル１１０’において、各画像表示要素部１２０による画像の表示も停止している。また、メータ表示モードにおいて、発光部１５６と機械メータ２００との間に遮光部が設けられており、かつ、全ての画像表示要素部１２０は遮光状態であれば、観視者３００から見ると、到達点Ｏにおいては、背景である機械メータ２００を見る状態とし、到達点Ｐにおいては、背景である機械メータ２００を見えない状態とすることができる。ここで、到達点Ｐ及びＯは、図７で説明した、バックライト１５０の発光部１５６の中心と液晶ディスプレイパネル１１０‘の画像表示要素部１２０の中心とを結ぶ線と、バックライト１５０の透明部１５８の中心と液晶ディスプレイパネル１１０の画像表示要素部１２０の中心とを結ぶ線とが、観察面３１０と交差する点を、それぞれ到達点Ｏ及びＰとしている。
【０１０６】
従って、このようなメータ表示モードでは、観視者３００であるドライバから見ると、液晶ディスプレイパネル１１０’の表示画像が消え、液晶ディスプレイパネル１１０’及びバックライト１５０を透かして、バックライト１５０の後方にある機械式メータ２００の表示を見ることができる。
【０１０７】
Ｃ−３．実施例の効果：
以上説明したように、本実施例によれば、液晶表示モードでは、観視者３００であるドライバから見ると、液晶ディスプレイパネル１１０’に表示されたカラー画像の他、液晶ディスプレイパネル１１０’及びバックライト１５０を透かして、バックライト１５０の後方にある機械式メータ２００の表示が重ねて見てしまうものの、表示装置１００がハーフミラーを用いていないため、表示装置自体の奥行きを短くすることができ、表示装置の占めるスペースを小さくすることができる。
【０１０８】
Ｄ．変形例：
なお、本発明は上記した実施例や実施形態に限られるものではなく、その要旨を逸脱しない範囲において種々の態様にて実施することが可能である。
【０１０９】
Ｄ−１．変形例１：
上記した各実施例では、表示装置を、車載用の表示装置として、車両のインストルメントパネルにおいて、機械式メータ２００の前方に取り付けるようにしていたが、本発明はこれに限定されるものではなく、例えば、パチンコやスロットマシーンやゲーム機などの遊技装置の表示装置として用いるようにしてもよい。また、本発明の表示装置を、窓に取り付けて、背景表示モード（上記したメータ表示モードに相当）の際に、表示装置の後方にある窓の外の風景を、透かして見せるようにしてもよい。
【０１１０】
Ｄ−２．変形例２：
上記した第１の実施例では、図４に示したように、液晶ディスプレイパネル１１０において、ＲＧＢに対応する３つの画像表示要素部１２０と、３つのシャッタ部１２２と、によって構成される画素は、各々、正方形（正方画素）を成すようにしていたが、本発明はこれに限定されるものではない。
【０１１１】
図１４は、変形例としての液晶ディスプレイパネル１１０を観視者３００側から見て示した説明図である。液晶ディスプレイパネル１１０では、例えば、図１４に示すように、各画像表示要素部１２０及び各シャッタ部１２２の垂直方向の長さを、それぞれ、２倍に延ばして、ＲＧＢに対応する３つの画像表示要素部１２０と、３つのシャッタ部１２２と、によって構成される画素が、各々、縦長の長方形（縦長画素）を成すようにしていてもよい。
【０１１２】
また、上記した第１の実施例では、図４に示したように、液晶ディスプレイパネル１１０において、複数の画像表示要素部１２０と複数のシャッタ部１２２とは、面方向において互いに市松状に並んでおり、ＲＧＢの各色フィルタ１２４Ｒ，１２４Ｇ，１２４Ｂが、面方向において、それぞれ、均等に分散されるように、配置されていたが、本発明はこれに限定されるものではない。
【０１１３】
図１５〜図１７は、それぞれ、変形例としての液晶ディスプレイパネル１１０を観視者３００側から見て示した説明図である。液晶ディスプレイパネル１１０では、例えば、図１５に示すように、複数の画像表示要素部１２０と複数のシャッタ部１２２とを、互いに縦長のストライプ状に並ぶように配置してもよい。また、図１６に示すように、複数の画像表示要素部１２０と複数のシャッタ部１２２とを、互いに横長のストライプ状に並ぶように配置してもよい。また、図１７に示すように、ＲＧＢに対応する３つの画像表示要素部１２０をひとまとまりとし、３つのシャッタ部１２２をひとまとまりとし、その両者が互いに市松状に並ぶように配置してもよい。
【０１１４】
なお、図１４〜図１７に示した各変形例は、それぞれ、第２または第３の実施例における各構成に対しても、同様に適用できることは、言うまでもない。
【０１１５】
Ｄ−３．変形例３：
上記した第１または第３の実施例では、バックライト１５０として、各発光部１５６をＥＬデバイスで構成した光源を用いていたが、本発明はこれに限定されるものではなく、例えば、導光板を用いるようにしてもよい。導光板とは、例えば、光源からアクリル内に導かれた光をアクリルの全反射を用いてアクリル全面に導き、反射ドットに当たった光がその進路を変え、全反射角よりも小さい角度になった光がアクリル面から出てくることを利用して、反射ドットを適正に配置することにより、アクリル面の所望の位置から光を照射し得るようにしたものである。
【０１１６】
Ｄ−４．変形例４：
上記した各実施例では、表示パネルとして、液晶ディスプレイパネル１１０，１１０’やＥＬディスプレイパネル１４０を用いるようにしたが、本発明はこれに限定されるものではなく、例えば、表面電界ディスプレイ（Surface-conduction Electron-emitter Display：ＳＥＤ）を用いるようにしてもよい。
【０１１７】
Ｄ−５．変形例５：
上記した第１の実施例では、メータ表示モードの際、コントローラ１７０によって、各シャッタ部１２２は、それぞれ、開放状態になるように制御され、各画像表示要素部１２０は、画像の表示を停止するよう制御されていたが、本発明はこれに限定されるものではない。
【０１１８】
各画像表示要素部１２０は、それぞれ、液晶駆動されているため、画像表示要素部１２０自体も、シャッタ部１２２と同様に、開放状態と遮断状態との切り換えを行うことができ、開放状態では、液晶ディスプレイパネル１１０の背面から前面に光を通過させ、遮断状態では、それらの光を遮断するようにすることができる。
【０１１９】
そこで、例えば、メータ表示モードの際に、コントローラ１７０が、各シャッタ部１２２を、それぞれ、遮断状態になるように制御し、各画像表示要素部１２０も、それぞれ、画像の表示を停止して、遮断状態になるように制御してもよい。このように制御した場合、機械式メータ２００からの光は、バックライト１５０において、各透明部１５８をそれぞれ透過するものの、液晶ディスプレイパネル１１０において、全てのシャッタ部１２２及び全ての画像表示要素部１２０は、遮断状態となっているため、バックライト１５０を透過した光は、液晶ディスプレイパネル１１０において、完全に遮断されてしまい、観視者３００には一切到達しない。
【０１２０】
従って、例えば、このような表示装置を、上述したように、窓に取り付けた場合、上記したモードでは、表示装置を前面から見た場合に、表示装置の後方にある窓の外の風景も見えなくなり、あたかも、ブラインドを下ろしたような効果を期待できる。
【０１２１】
また、例えば、メータ表示モードの際に、コントローラ１７０が、各シャッタ部１２２を、それぞれ、開放状態になるように制御し、各画像表示要素部１２０も、それぞれ、画像の表示を停止して、開放状態になるように制御してもよい。このように制御した場合、機械式メータ２００からの光は、バックライト１５０において、各透明部１５８を、それぞれ、透過して、液晶ディスプレイパネル１１０に入射する。液晶ディスプレイパネル１１０では、全てのシャッタ部１２２及び全ての各画像表示要素部１２０は、開放状態となっているため、入射した光は、それらシャッタ部１２２及び画像表示要素部１２０を通過して、観視者３００に到達する。
【０１２２】
従って、表示装置を前面から見た場合に、機械式メータ２００の表示をより明るく見せることができる。
【０１２３】
Ｄ−６．変形例６：
上記した第１の実施例では、液晶ディスプレイパネル１１０において、各シャッタ部１２２は、液晶表示モードの際に、遮断状態となり、メータ表示モードの際には、開放状態になるように制御されている。しかしながら、各シャッタ部１２２が、開放状態と遮断状態との切り換えだけでなく、その間の中間的な状態、すなわち、中間調を表現できるように構成してもよい。その場合には、例えば、液晶表示モードの際に、各シャッタ部１２２を、必要に応じて、中間的な状態になるように制御するようにすれば、液晶ディスプレイパネル１１０に表示された画像だけでなく、バックライト１５０の後方にある機械式メータ２００の表示も透かしてみせることができる。
【０１２４】
また、上記した第１の実施例では、液晶ディスプレイパネル１１０において、各シャッタ部１２２は、液晶表示モードの際に、一斉に遮断状態となり、メータ表示モードの際には、一斉に開放状態になるように制御されている。従って、各シャッタ部１２２は、それぞれ、独立に制御できるようになっていなくてもよい。
【０１２５】
しかしながら、各シャッタ部１２２が、独立に制御可能であり、しかも、中間調を表現できるように構成されていれば、コントローラ１７０に画像信号１７４とは別の画像信号を入力することにより、その画像信号に応じて、各シャッタ部１２２により、モノクロの画像を表示させることも可能である。
【０１２６】
なお、この変形例６は、第２の実施例における構成に対しても、同様に適用できることは、言うまでもない。
【０１２７】
Ｄ−７．変形例７：
上記した第１または第３の実施例では、液晶ディスプレイパネル１１０における画像表示要素部１２０と、バックライト１５０における発光部１５６とは、位置的にそれぞれ一対一に対応し、シャッタ部１２２と、透明部１５８も、位置的にそれぞれ一対一に対応するようにしていたが、本発明はこれに限定されるものではなく、一対多，多対一の対応であってもよい。
【図面の簡単な説明】
【０１２８】
【図１】本発明の第１の実施例としての表示装置を模式的に示した説明図である。
【図２】図１における液晶ディスプレイパネル１１０及びバックライト１５０の断面を模式的に示した説明図である。
【図３】図１における液晶ディスプレイパネル１１０及びバックライト１５０の断面を模式的に示した説明図である。
【図４】図２及び図３における液晶ディスプレイパネル１１０を観視者３００側から見て示した説明図である。
【図５】図２及び図３におけるバックライト１５０を観視者３００側から見て示した説明図である。
【図６】図４の液晶ディスプレイパネル１１０における画像表示要素部１２０及びシャッタ部１２２と、図５のバックライト１５０における発光部１５６及び透明部１５８と、の位置的な対応関係を示す説明図である。
【図７】図１の表示装置１００における主要部の距離や間隔を決定する方法を説明するための説明図である。
【図８】図１の表示装置１００における主要部の距離や間隔を決定する方法を説明するための説明図である。
【図９】本発明の第２の実施例としての表示装置を模式的に示した説明図である。
【図１０】図９におけるＥＬディスプレイパネル１４０の断面を模式的に示した説明図である。
【図１１】図９におけるＥＬディスプレイパネル１４０の断面を模式的に示した説明図である。
【図１２】本発明の第３の実施例としての表示装置における液晶ディスプレイパネル１１０’及びバックライト１５０の断面を模式的に示した説明図である。
【図１３】本発明の第３の実施例としての表示装置における液晶ディスプレイパネル１１０’及びバックライト１５０の断面を模式的に示した説明図である。
【図１４】変形例としての液晶ディスプレイパネル１１０を観視者３００側から見て示した説明図である。
【図１５】変形例としての液晶ディスプレイパネル１１０を観視者３００側から見て示した説明図である。
【図１６】変形例としての液晶ディスプレイパネル１１０を観視者３００側から見て示した説明図である。
【図１７】変形例としての液晶ディスプレイパネル１１０を観視者３００側から見て示した説明図である。
【図１８】従来における車載用の表示装置を示す概略図である。
【符号の説明】
【０１２９】
１００…表示装置
１１０…液晶ディスプレイパネル
１１２…液晶層
１１４…フィルタ層
１１６，１１８…ガラス基板
１２０…画像表示要素部
１２２…シャッタ部
１２４Ｒ，１２４Ｇ，１２４Ｂ…色フィルタ
１２５…透明部
１２６…液晶層
１２８Ｒ，１２８Ｇ，１２８Ｂ…画像表示要素部
１３２…透明部
１４０…ＥＬディスプレイパネル
１５０…バックライト
１５２…発光層
１５４…ガラス基板
１５６…発光部
１５８…透明部
１７０…コントローラ
１７２…モード切換信号
１７４…画像信号
１７６…パネル駆動信号
１７８…ライト駆動信号
１７９…パネル駆動信号
２００…機械式メータ
３００…観視者
３１０…観視面
９１０…表示装置
９１２…液晶ディスプレイパネル
９１４…ハーフミラー
９２０…機械式メータ
９３０…観視者
【図１】
2008112062.tif 000003
【図２】
2008112062.tif 000004
【図３】
2008112062.tif 000005
【図４】
2008112062.tif 000006
【図５】
2008112062.tif 000007
【図６】
2008112062.tif 000008
【図７】
2008112062.tif 000009
【図８】
2008112062.tif 000010
【図９】
2008112062.tif 000011
【図１０】
2008112062.tif 000012
【図１１】
2008112062.tif 000013
【図１２】
2008112062.tif 000014
【図１３】
2008112062.tif 000015
【図１４】
2008112062.tif 000016
【図１５】
2008112062.tif 000017
【図１６】
2008112062.tif 000018
【図１７】
2008112062.tif 000019
【図１８】
2008112062.tif 000020